(57)【特許請求の範囲】
【請求項１】
表示部を備えた表示制御装置であって、
前記表示部に表示する対象の画像を示す画像データを出力する画像データ出力部と、
前記画像データ出力部が出力した前記画像データを記憶する画像データ記憶部と、
前記画像データ記憶部に記憶された前記画像データが示す画像を前記表示部に表示する表示処理を行う表示制御部と、
前記表示制御装置が、前記画像データ記憶部及び前記表示制御部に外来ノイズが混入した可能性のある所定の不安定状態になったことを検知する状態検知部と、
前記表示部に前記画像が表示されている場合に、前記表示制御装置が前記不安定状態になったことを前記状態検知部が検知したとき、前記表示されている前記画像を示す前記画像データを前記画像データ出力部に再出力させ、前記再出力させた前記画像データを前記画像データ記憶部に記憶した後、前記表示制御部に前記表示処理を再度行わせるリフレッシュ処理を行うリフレッシュ処理部と、
ユーザーが前記表示部をタッチしたことを検知するタッチパネルと、
予め定められた操作指示を入力するための操作画像が前記表示部に表示されている場合に、ユーザーがタッチした前記操作画像が示す前記操作指示を受け付ける指示受付部と、を備え、
前記状態検知部は、前記タッチパネルが、ユーザーが前記表示部をタッチしたことを検知した場合に、前記指示受付部によって前記表示部に表示された前記画像を切り替える指示が受け付けられなかったときは、前記表示制御装置が前記不安定状態になったことを検知する一方、前記指示受付部によって前記表示部に表示された前記画像を切り替える指示が受け付けられたときは、前記表示制御装置が前記不安定状態になったことを検知しない表示制御装置。
【請求項２】
前記リフレッシュ処理部は、更に、前記表示制御部によって前記画像が前記表示部に表示された時点から予め定められた基準周期が経過する度に前記リフレッシュ処理を行い、
前記表示部に前記画像が表示されている場合に、前記表示制御装置が前記不安定状態になったことを前記状態検知部が検知したとき、前記基準周期を予め定められた補正時間短くする基準周期変更部を更に備える請求項１に記載の表示制御装置。
【請求項３】
請求項１又は２に記載の表示制御装置を備えた電子機器であって、
前記電子機器の動作を制御する互いに通信可能に接続された複数の動作制御部を備え、
前記各動作制御部は、他の前記動作制御部との間での通信中に通信エラーが発生した場合に、当該通信を再度行うリトライ処理を実行し、
前記状態検知部は、更に、前記複数の動作制御部のうち何れかの動作制御部によって前記リトライ処理が実行された場合に、前記表示制御装置が前記不安定状態になったことを検知する電子機器。
【発明の詳細な説明】
【技術分野】
【０００１】
本発明は、表示部を備えた表示制御装置及び当該表示制御装置を備えた電子機器に関し、特に、表示部へ画像を表示する技術に関する。
【背景技術】
【０００２】
従来から、液晶ディスプレイ（ＬＣＤ：Ｌｉｑｕｉｄ  Ｃｒｙｓｔａｌ  Ｄｉｓｐｌａｙ）を備えたプリンターや携帯電話等の電子機器が知られている。そして、ＬＣＤを構成するガラス基板に、ドライバーＩＣ（Ｉｎｔｅｇｒａｔｅｄ  Ｃｉｒｃｕｉｔ）等の回路を実装する方式（ＣＯＧ（Ｃｈｉｐ  Ｏｎ  Ｇｌａｓｓ））により、実装効率を上げてコスト削減を図る技術が知られている。
【０００３】
ドライバーＩＣには、ＬＣＤに表示する画像を示す画像データを記憶するＲＡＭ（Ｒａｎｄｏｍ  Ａｃｃｅｓｓ  Ｍｅｍｏｒｙ）、ＲＡＭに記憶された画像データが示す画像をＬＣＤに表示させる制御コマンドを記憶するレジスター、レジスター内に記憶された制御コマンドを実行するＣＰＵ等が設けられている。
【０００４】
例えば、下記特許文献１には、上記のようなＣＯＧ方式を採用したＬＣＤを備えた携帯型電話装置が記載されている。そして、この携帯型電話装置では、静電気によってドライバーＩＣが誤動作してＬＣＤに画像が正常に表示されなくなることを回避するために、所定期間毎にＬＣＤの表示内容が更新されることが記載されている。
【先行技術文献】
【特許文献】
【０００５】
【特許文献１】特開２００３−２０２８４４号公報
【発明の概要】
【発明が解決しようとする課題】
【０００６】
しかし、上記のようにＣＯＧ方式を採用したＬＣＤを備えた電子機器では、静電気に限らず、ユーザーがＬＣＤに触れた場合にＬＣＤの表面に蓄積した電荷が放電される、或いは、電子機器内の各動作部を制御する動作制御部間の通信に用いる通信線やドライバーＩＣに電力を供給する給電線等からラインノイズが混入する等して、外来ノイズがドライバーＩＣに混入する虞がある。
【０００７】
この場合、ＲＡＭに記憶されている画像データや、レジスターに記憶されているコマンドの一部が破損する虞がある。これにより、本来画像データが示す画像が正常にＬＣＤに表示されなくなる虞がある。このように、静電気に限らず、ドライバーＩＣに外来ノイズが混入した状態になることによっても、ＬＣＤに正常に画像が表示されなくなる虞があった。
【０００８】
本発明は、上記の問題を解決するためになされたもので、表示部を備えた表示制御装置及び当該表示制御装置を備えた電子機器において、表示制御装置への外来ノイズの混入に起因して、表示部に画像が正常に表示されなくなる虞を低減することを目的とする。
【課題を解決するための手段】
【０００９】
本発明による表示制御装置は、表示部を備えた表示制御装置であって、前記表示部に表示する対象の画像を示す画像データを出力する画像データ出力部と、前記画像データ出力部が出力した前記画像データを記憶する画像データ記憶部と、前記画像データ記憶部に記憶された前記画像データが示す画像を前記表示部に表示する表示処理を行う表示制御部と、前記表示制御装置が、前記画像データ記憶部及び前記表示制御部に外来ノイズが混入した可能性のある所定の不安定状態になったことを検知する状態検知部と、前記表示部に前記画像が表示されている場合に、前記表示制御装置が前記不安定状態になったことを前記状態検知部が検知したとき、前記表示されている前記画像を示す前記画像データを前記画像データ出力部に再出力させ、前記再出力させた前記画像データを前記画像データ記憶部に記憶した後、前記表示制御部に前記表示処理を再度行わせるリフレッシュ処理を行うリフレッシュ処理部と、ユーザーが前記表示部をタッチしたことを検知するタッチパネルと、予め定められた操作指示を入力するための操作画像が前記表示部に表示されている場合に、ユーザーがタッチした前記操作画像が示す前記操作指示を受け付ける指示受付部と、を備え、前記状態検知部は、前記タッチパネルが、ユーザーが前記表示部をタッチしたことを検知した場合に、前記指示受付部によって前記表示部に表示された前記画像を切り替える指示が受け付けられなかったときは、前記表示制御装置が前記不安定状態になったことを検知する一方、前記指示受付部によって前記表示部に表示された前記画像を切り替える指示が受け付けられたときは、前記表示制御装置が前記不安定状態になったことを検知しない。
【００１０】
この構成によれば、状態検知部により、表示制御装置が、画像データ記憶部及び表示制御部に外来ノイズが混入した可能性のある所定の不安定状態になったことが検知されると、リフレッシュ処理が行われる。
【００１１】
このため、表示制御装置が上記不安定状態になり、画像データ記憶部に記憶されている画像データの一部が破損したり、表示制御部が誤動作した場合であっても、画像データを画像データ記憶部に記憶し直し、画像データが示す画像を表示部に再表示させることができる。これにより、表示制御装置への外来ノイズの混入に起因して、画像データ記憶部及び表示制御部に外来ノイズが混入した場合であっても、表示部に画像が正常に表示されなくなる虞を低減することができる。
ユーザーが表示部をタッチした場合、表示部の表面に蓄積された電荷が放電し、当該放電により発生したノイズが、画像データ記憶部及び表示制御部に混入する可能性がある。ただし、ユーザーが表示部に表示された操作指示を入力するための操作画像をタッチしたことによって、表示部に表示された画像を切り替える指示が受け付けられたときは、当該指示に従って切り替え後の表示対象の画像を表示することになる。つまり、この場合、画像データ記憶部には切り替え後の画像を示す画像データが記憶されていず、表示制御部は切り替え後の画像を表示部に表示していない。このため、切り替え後の操作画面の画像を示す画像データが記憶された画像データ記憶部及び切り替え後の操作画面の画像を表示部に表示させた表示制御部には、外来ノイズが混入していないと考えられる。
つまり、本構成によれば、ユーザーが表示部をタッチした場合に、表示部に表示されている画像を切り替える指示が受け付けられなかったときは、表示制御装置が、画像データ記憶部及び表示制御部に外来ノイズが混入した可能性のある所定の不安定状態になったことが状態検知部によって適切に検知される。一方、表示部に表示されている画像を切り替える指示が受け付けられたときは、表示制御装置が、画像データ記憶部及び表示制御部に外来ノイズが混入した可能性のある所定の不安定状態になっていないことが状態検知部によって適切に検知される。
また、状態検知部が、表示部に表示されている画像を切り替える指示が受け付けられたときにも、表示制御装置が不安定状態になったことを検知したとすると、リフレッシュ処理部がリフレッシュ処理を行うこととなる。この場合、表示部に表示されている画像が切り替えられず、受け付けられた指示に反することになる。しかし、本構成によれば、状態検知部が、表示部に表示されている画像を切り替える指示が受け付けられたときには、表示制御装置が不安定状態になったことを検知しないので、リフレッシュ処理部がリフレッシュを行わない。これによって、受け付けられた指示に反することが回避される。
【００１２】
また、前記リフレッシュ処理部は、更に、前記表示制御部によって前記画像が前記表示部に表示された時点から予め定められた基準周期が経過する度に前記リフレッシュ処理を行い、前記表示部に前記画像が表示されている場合に、前記表示制御装置が前記不安定状態になったことを前記状態検知部が検知したとき、前記基準周期を予め定められた補正時間短くする基準周期変更部を更に備えることが好ましい。
【００１３】
この構成によれば、状態検知部が、表示制御装置が上記不安定状態になったことを検知したか否かによらず、画像が表示部に表示された時点から予め定められた基準周期が経過する度にリフレッシュ処理が行われる。このため、表示制御装置が上記不安定状態になること以外の要因で、表示部に画像が正常に表示されなくなる虞を低減することができる。
【００１４】
また、状態検知部が、表示制御装置が上記不安定状態になったことを検知した場合には、上記基準周期が短くなる。このため、表示制御装置が上記不安定状態になることにより、画像データ記憶部に記憶されている画像データの一部が破損したり、表示制御部が誤動作した可能性が高い状況になると、リフレッシュ処理を行う頻度を高めることができる。これにより、表示部に画像が正常に表示されなくなる虞をより低減することができる。
【００１９】
また、本発明による電子機器は、前記表示制御装置を備えた電子機器であって、前記電子機器の動作を制御する互いに通信可能に接続された複数の動作制御部を備え、前記各動作制御部は、他の前記動作制御部との間での通信中に通信エラーが発生した場合に、当該通信を再度行うリトライ処理を実行し、前記状態検知部は、更に、前記複数の動作制御部のうち何れかの動作制御部によって前記リトライ処理が実行された場合に、前記表示制御装置が前記不安定状態になったことを検知する。
【００２０】
この構成によれば、動作制御部にラインノイズが混入したことに起因して、動作制御部間の通信中に通信エラーが発生し、当該ラインノイズが画像データ記憶部及び表示制御部に混入した可能性が高いと考えられる場合に、状態検知部によって、表示制御装置が上記不安態状態になったことを適切に検知することができる。
【発明の効果】
【００２１】
この発明によれば、表示部を備えた表示制御装置及び当該表示制御装置を備えた電子機器において、表示制御装置への外来ノイズの混入に起因して、表示部に画像が正常に表示されなくなる虞を低減することができる。
【図面の簡単な説明】
【００２２】
【図１】本発明の電子機器の一実施形態に係る複写機の電気的構成を示すブロック図である。
【図２】本発明の表示制御装置の一実施形態に係る表示制御装置の電気的構成を示すブロック図である。
【図３】表示制御装置の動作の一例を示すフローチャートである。
【図４】表示制御装置の動作の図３とは別の一例を示すフローチャートである。
【発明を実施するための形態】
【００２３】
以下、本発明に係る電子機器の一実施形態を図面に基づいて説明する。尚、本実施形態では、電子機器として複写機を例に説明するが、これに限定する趣旨ではなく、電子機器は、例えば、プリンター、ファクシミリ装置、又はスキャナー等の画像処理装置や、これら画像処理装置の機能を兼ね備えた複合機、ゲーム機、携帯電話、及びカーナビゲーション装置であってもよい。
【００２４】
図１は、本発明の電子機器の一実施形態に係る複写機１の電気的構成を示すブロック図である。例えば、図１に示すように、複写機１は、装置本体１０と、原稿読取装置６０と、給紙装置７０と、を備えている。
【００２５】
装置本体１０は、システム制御部２０（動作制御部）と、画像形成制御部４０（動作制御部）と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）５０と、操作パネル３０と、を備えている。尚、システム制御部２０及び操作パネル３０は、本発明に係る表示制御装置の一実施形態に係る表示制御装置２を構成する。
【００２６】
システム制御部２０は、不図示のＣＰＵ（Ｃｅｎｔｒａｌ  Ｐｒｏｃｅｓｓｉｎｇ  Ｕｎｉｔ）と、当該ＣＰＵにより実行される制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、複写機１の各種動作を制御する各動作制御部との間で通信を行うための通信インターフェイス回路等の周辺回路を備えている。
【００２７】
システム制御部２０は、ＣＰＵが不揮発性メモリーに記憶された制御プログラムを実行することによって、複写機１内の各動作制御部との間で通信を行い、各動作制御部の動作を統括して制御する。
【００２８】
画像形成制御部４０は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、複写機１内の各動作制御部との間で通信を行うための通信インターフェイス回路等の周辺回路を備えている。
【００２９】
画像形成制御部４０は、ＣＰＵが不揮発性メモリーに記憶された制御プログラムを実行することによって、システム制御部２０との間で通信を行い、システム制御部２０による指示の下、用紙に画像を形成する画像形成動作を制御する。
【００３０】
ＥＥＰＲＯＭ５０には、画像形成動作が行われた用紙の総枚数、画像を用紙に形成するときの初期濃度値等の画像形成動作の初期条件、及びユーザーに操作を行わせるための操作画面を示す画像データ等の各種データが記憶されている。
【００３１】
操作パネル３０は、ＬＣＤモジュール３１と、タッチパネル３２と、パネル制御部３３（動作制御部）と、を備えている。
【００３２】
ＬＣＤモジュール３１は、各種画像を表示するＬＣＤ（Ｌｉｑｕｉｄ  Ｃｒｙｓｔａｌ  Ｄｉｓｐｌａｙ、表示部）３４を備えている。ＬＣＤモジュール３１は、後述するように、パネル制御部３３からシリアル通信によって送信されてきた制御コマンド及び画像データを受信する。そして、ＬＣＤモジュール３１は、受信した制御コマンドを実行することにより、受信した画像データが示す画像をＬＣＤ３４に表示する。ＬＣＤモジュール３１の詳細については、後述する。
【００３３】
タッチパネル３２は、ＬＣＤ３４の表面上に設けられている。タッチパネル３２は、透明なガラス基板を用いて構成されている。このため、ユーザーは、ＬＣＤ３４に表示された画像をタッチパネル３２を介して視認することができる。タッチパネル３２は、所謂静電容量方式のセンサーを有している。尚、タッチパネル３２は、静電容量方式のセンサーを有する構成に限らず、例えば、所謂抵抗膜方式のセンサーを有する構成であってもよい。
【００３４】
タッチパネル３２は、上記センサーを用いて、ＬＣＤ３４をタッチした位置（厳密に言えば、タッチパネル３２の表面をタッチした位置）を検出し、その検出した位置を水平方向及び垂直方向の二次元座標で示す検出信号をパネル制御部３３へ出力する。
【００３５】
パネル制御部３３は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、システム制御部２０、ＬＣＤモジュール３１、及びタッチパネル３２との間で通信を行うための通信インターフェイス回路等の周辺回路を備えている。
【００３６】
パネル制御部３３は、ＣＰＵが不揮発性メモリーに記憶された制御プログラムを実行することによって、システム制御部２０との間で通信を行い、システム制御部２０による指示の下、各種画像をＬＣＤ３４に表示する動作を制御する。
【００３７】
具体的には、ＬＣＤ３４に画像を表示する場合、システム制御部２０は、ＬＣＤ３４に表示する対象の画像を示す画像データ及び当該画像データをＬＣＤ３４に表示する指示を示す指示信号をパネル制御部３３へ送信する。パネル制御部３３は、画像データ及び指示信号を受信すると、受信した画像データが示す画像をＬＣＤ３４に表示させるための制御コマンドを生成する。そして、パネル制御部３３は、画像データ及び生成した制御コマンドをシリアル通信でＬＣＤモジュール３１へ送信する。ＬＣＤモジュール３１は、画像データ及び制御コマンドを受信すると、受信した制御コマンドを実行することにより、受信した画像データが示す画像をＬＣＤ３４に表示する。尚、制御コマンド及びＬＣＤモジュール３１の詳細については、後述する。
【００３８】
また、パネル制御部３３は、ユーザーがＬＣＤ３４をタッチした場合にタッチパネル３２が出力した検出信号が入力されると、当該検出信号をシステム制御部２０へ送信する。
【００３９】
原稿読取装置６０は、原稿が載置される不図示の原稿台と、原稿台へ原稿を自動搬送する不図示の自動原稿給送装置（ＡＤＦ：Ａｕｔｏｍａｔｉｃ  Ｄｏｃｕｍｅｎｔ  Ｆｅｅｄｅｒ）と、原稿台に載置された原稿の画像を読み取り、当該読み取った画像を示す画像データを出力する不図示のスキャナーと、読取制御部６１（動作制御部）と、を備えている。
【００４０】
読取制御部６１は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、画像形成制御部４０、自動原稿給送装置、及びスキャナーとの間で通信を行うための通信インターフェイス回路等の周辺回路を備えている。
【００４１】
読取制御部６１は、ＣＰＵが不揮発性メモリーに記憶された制御プログラムを実行することによって、画像形成制御部４０との間で通信を行い、画像形成動作において用紙に形成する対象の画像を示す原稿を自動原稿給送装置に搬送させる動作、及び、スキャナーに原稿の画像を読み取らせる動作を制御する。そして、読取制御部６１は、スキャナーによって出力された画像データを画像形成制御部４０へ送信する。
【００４２】
給紙装置７０は、用紙が収容される不図示の給紙カセットと、給紙カセットに収容された用紙を繰り出す不図示の給紙ローラーと、給紙制御部７１（動作制御部）と、を備えている。
【００４３】
給紙制御部７１は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、画像形成制御部４０との間で通信を行うための通信インターフェイス回路や、給紙ローラーを駆動するドライバー等の周辺回路を備えている。
【００４４】
給紙制御部７１は、ＣＰＵが不揮発性メモリーに記憶された制御プログラムを実行することによって、画像形成制御部４０との間で通信を行い、画像形成動作に用いる用紙を給紙ローラーによって給紙させる動作を制御する。
【００４５】
上記各動作制御部（システム制御部２０、画像形成制御部４０、パネル制御部３３、給紙制御部７１、読取制御部６１）が他の動作制御部との間での通信中に通信エラーが発生した場合、各動作制御部は、当該通信エラーが発生した通信を再度行うリトライ処理を実行する。各動作制御部は、リトライ処理を実行した場合、リトライ処理を実行したことを示す信号を、直接的にシステム制御部２０へ送信する、又は、１又は複数の他の動作制御部を介して、間接的にシステム制御部２０へ送信する。
【００４６】
上記通信エラーとは、例えば、所定時間経過しているにも関わらず、通信先の動作制御部から、正常に制御信号を受信したことを示すＡＣＫ（ＡＣＫｎｏｗｌｅｄｇｅｍｅｎｔ）信号が返信されない等である。通信エラーは、例えば、各動作制御部に電力を供給する不図示の給電線から、各動作制御部にラインノイズが混入したこと等に起因して発生すると考えられる。
【００４７】
次に、表示制御装置２の詳細について説明する。図２は、本発明の表示制御装置の一実施形態に係る表示制御装置２の電気的構成を示すブロック図である。
【００４８】
図２に示すように、表示制御装置２は、操作パネル３０と、システム制御部２０と、を備えている。操作パネル３０は、ＬＣＤモジュール３１と、タッチパネル３２と、パネル制御部３３と、を備えている。
【００４９】
ＬＣＤモジュール３１は、ＬＣＤ３４と、ドライバーＩＣ３５と、を備えている。
【００５０】
ＬＣＤ３４は、複数のセグメント給電線とこれに直交する複数のコモン給電線との各交点にそれぞれ液晶セルを挟持してなる所謂単純マトリクス型（ＳＴＮ（Ｓｕｐｅｒ  Ｔｗｉｓｔｅｄ  Ｎｅｍａｔｉｃ型）の液晶ディスプレイである。各液晶セルの両端には、セグメント給電線を介して供給されるセグメント電圧と、コモン給電線を介して供給されるコモン電圧と、が印加される。この印加されるセグメント電圧及びコモン電圧のレベルに応じて、液晶分子の向きが変えられ、光の透過度合が調整される。これにより、各液晶セルを各画素とする画像が表示される。
【００５１】
ドライバーＩＣ３５は、ＬＣＤ３４を構成するガラス基板上に設けられている。ドライバーＩＣ３５は、ＲＡＭ等で構成された表示メモリー３７（画像データ記憶部）と、セグメントドライバー３６ａと、コモンドライバー３６ｂと、コントローラー３８（表示制御部）と、を備えている。ドライバーＩＣ３５には、不図示の給電線を介して電源電圧Ｖｄｄが供給されている。また、ドライバーＩＣ３５は接地されている。ドライバーＩＣ３５内の各部は、不図示の給電線を介して供給される電源電圧Ｖｄｄを用いて動作する。
【００５２】
セグメントドライバー３６ａは、コントローラー３８により指示されたレベルの各セグメント電圧を生成し、生成した各セグメント電圧をＬＣＤ３４に備えられた各セグメント給電線へ供給する。コモンドライバー３６ｂは、コントローラー３８により指示されたレベルの各コモン電圧を生成し、生成した各コモン電圧をＬＣＤ３４に備えられた各コモン給電線へ供給する。
【００５３】
コントローラー３８は、不図示のＣＰＵと、当該ＣＰＵにより実行される制御プログラムが記憶されたＥＥＰＲＯＭ等の不図示の不揮発性メモリーと、パネル制御部３３との間でシリアル通信を行う不図示の通信インターフェイス回路と、レジスター３８２と、これらの周辺回路を備えている。コントローラー３８は、ＣＰＵが不揮発性メモリーに記憶された制御プログラムを実行することにより、Ｉ／Ｆ制御部３８１として動作する。
【００５４】
Ｉ／Ｆ制御部３８１は、不図示の通信インターフェイス回路を用いて、パネル制御部３３からシリアル通信で送信されてきた制御コマンド及び画像データを受信する。そして、Ｉ／Ｆ制御部３８１は、受信した制御コマンドをレジスター３８２に記憶する。また、Ｉ／Ｆ制御部３８１は、受信した画像データを表示メモリー３７に記憶する。
【００５５】
コントローラー３８に備えられたＣＰＵは、レジスター３８２に制御コマンドが記憶されると、自動的に当該記憶された制御コマンドを実行する。尚、制御コマンドは、ＣＰＵによって実行されることにより、表示メモリー３７内の画像データを読み出し、当該画像データが示す画像の各画素の画素値（階調値）に基づいて、各画素に対応する各液晶セルに印加すべきセグメント電圧及びコモン電圧のレベルを決定するように構成されている。また、制御コマンドは、ＣＰＵによって実行されることにより、決定したセグメント電圧のレベルを示す信号をセグメントドライバー３６ａへ出力し、決定したコモン電圧のレベルを示す信号をコモンドライバー３６ｂへ出力するように構成されている。
【００５６】
つまり、コントローラー３８は、レジスター３８２に記憶された制御コマンドをＣＰＵによって実行させることにより、表示メモリー３７に記憶された画像データに基づき、当該画像データが示す画像の各画素に対応する各液晶セルに印加するセグメント電圧及びコモン電圧のレベルを決定する。そして、当該決定したセグメント電圧及びコモン電圧のレベルを示す信号を、それぞれ、セグメントドライバー３６ａ及びコモンドライバー３６ｂへ出力する。これにより、セグメントドライバー３６ａ及びコモンドライバー３６ｂは、入力された信号が示すレベルのセグメント電圧及びコモン電圧を、各液晶セルを挟持するセグメント給電線及びコモン給電線へ供給する。その結果、各液晶セルの両端には、セグメント給電線及びコモン給電線を介して供給されたセグメント電圧及びコモン電圧が印加される。これにより、各液晶セルは、印加されたセグメント電圧及びコモン電圧のレベルに応じて液晶分子の向きを変え、光の透過度合が調整される。これにより、当該各液晶セルに対応する各画素で構成された画像がＬＣＤ３４に表示される。
【００５７】
以下では、上記のように、コントローラー３８が、レジスター３８２に記憶された制御コマンドをＣＰＵに実行させることにより、表示メモリー３７に記憶された画像データが示す画像をＬＣＤ３４に表示する処理を表示処理と示す。
【００５８】
タッチパネル３２及びパネル制御部３３については、既に説明したのでここでの説明を省略する。
【００５９】
システム制御部２０は、パネル制御部３３にＬＣＤ３４への画像の表示動作を制御させるために、特に、図２の実線部に示すように、表示処理制御部２１、画像データ出力部２２、指示受付部２３、状態検知部２４、及びリフレッシュ処理部２５として動作する。
【００６０】
表示処理制御部２１は、複写機１の初期動作時や、後述する指示受付部２３によってＬＣＤ３４に既に表示されている操作画面を切り替える操作指示が受け付けられたときに、パネル制御部３３に対して、操作画面を示す画像をＬＣＤ３４に表示するように指示する。画像データ出力部２２は、ＬＣＤ３４に表示する対象の画像を示す画像データをＥＥＰＲＯＭ５０から読み出し、当該読み出した画像データを出力する。
【００６１】
具体的には、表示処理制御部２１は、パネル制御部３３に対して、操作画面を示す画像をＬＣＤ３４に表示するように指示する場合、先ず、表示対象の操作画面の画像を示す画像データを画像データ出力部２２に出力させる。そして、表示処理制御部２１は、当該出力させた画像データ及び当該画像データをＬＣＤ３４に表示する指示を示す指示信号をパネル制御部３３へ送信する。
【００６２】
これにより、パネル制御部３３は、上記のように、当該画像データ及び当該画像データをＬＣＤ３４に表示するための制御コマンドをＬＣＤモジュール３１へ送信する。その結果、ＬＣＤモジュール３１において、コントローラー３８によって表示処理が行われ、当該画像データが示す操作画面を示す画像がＬＣＤ３４に表示される。
【００６３】
指示受付部２３は、予め定められた操作指示を入力するためのソフトキー（操作画像）がＬＣＤ３４に表示されている場合に、ユーザーがタッチしたソフトキーが示す操作指示を受け付ける。
【００６４】
具体的には、ユーザーがＬＣＤ３４に表示されているソフトキーをタッチすると、タッチパネル３２は、当該ソフトキーが表示されている領域内の座標を示す検出信号を出力する。当該検出信号は、パネル制御部３３を介してシステム制御部２０へ送信される。指示受付部２３は、当該検出信号を受信すると、ＬＣＤ３４に表示されている操作画面を示す画像データをＥＥＰＲＯＭ５０から取得する。そして、指示受付部２３は、受信した検出信号が示す座標が、取得した画像データが示す画像における上記ソフトキーを示す画素に対応すると判断すると、ユーザーが上記ソフトキーをタッチしたと判断し、上記ソフトキーが示す操作指示を受け付ける。
【００６５】
状態検知部２４は、表示制御装置２が表示メモリー３７及びコントローラー３８に外来ノイズが混入した可能性のある所定の不安定状態になったことを検知する。
【００６６】
例えば、ユーザーがＬＣＤ３４をタッチした場合、ＬＣＤ３４の表面に蓄積された電荷が放電し、当該放電により発生したノイズが、表示メモリー３７及びコントローラー３８に混入する可能性がある。
【００６７】
ただし、ユーザーがＬＣＤ３４に表示されたソフトキーをタッチしたことによって、ＬＣＤ３４に表示された操作画面の画像を切り替える指示が受け付けられたとする。この場合、表示処理制御部２１は、パネル制御部３３によって、切り替え後の表示対象の操作画面を示す画像をＬＣＤ３４に表示させる。つまり、この場合、ユーザーがＬＣＤ３４をタッチしたときには、表示メモリー３７には切り替え後の操作画面の画像を示す画像データが記憶されていず、コントローラー３８は切り替え後の操作画面の画像をＬＣＤ３４に表示していない。このため、切り替え後の操作画面の画像を示す画像データが記憶された表示メモリー３７及び切り替え後の操作画面の画像をＬＣＤ３４に表示させたコントローラー３８には、外来ノイズが混入していないと考えられる。
【００６８】
このため、状態検知部２４は、タッチパネル３２が、ユーザーがＬＣＤ３４をタッチしたことを検知した場合に、指示受付部２３によってＬＣＤ３４に表示された操作画面を示す画像を切り替える指示が受け付けられなかったときは、表示制御装置２が上記不安定状態になったことを検知する。一方、状態検知部２４は、タッチパネル３２が、ユーザーがＬＣＤ３４をタッチしたことを検知した場合に、指示受付部２３によってＬＣＤ３４に表示された操作画面を示す画像を切り替える指示が受け付けられたときは、表示制御装置２が前記不安定状態になったことを検知しない。
【００６９】
また、上記のように、各動作制御部において他の動作制御部との間での通信中に通信エラーが発生した場合、各動作制御部にラインノイズが混入している虞があり、当該ラインノイズが伝播して表示メモリー３７及びコントローラー３８に混入する虞がある。尚、通信エラーが発生した場合には、上記のように、各動作制御部はリトライ処理を実行し、リトライ処理を実行したことを示す信号を直接的に又は間接的にシステム制御部２０へ送信する。
【００７０】
このため、状態検知部２４は、何れかの動作制御部からリトライ処理を実行したことを示す信号を受信した場合にも、表示制御装置２が上記不安態状態になったことを検知する。
【００７１】
リフレッシュ処理部２５は、ＬＣＤ３４に画像が表示されている場合に、表示制御装置２が上記不安定状態になったことを状態検知部２４が検知したとき、リフレッシュ処理を行う。リフレッシュ処理とは、ＬＣＤ３４に表示されている画像を示す画像データを画像データ出力部２２に再出力させ、当該再出力させた画像データを表示メモリー３７に記憶した後、コントローラー３８に上記表示処理を再度行わせる処理である。
【００７２】
具体的には、リフレッシュ処理部２５は、リフレッシュ処理において、ＬＣＤ３４に表示されている画像を示す画像データを画像データ出力部２２に再出力させ、当該画像データ及び当該画像データをＬＣＤ３４に表示する指示を示す指示信号をパネル制御部３３へ送信する処理を行う。
【００７３】
これにより、パネル制御部３３は、当該再出力させた画像データ及び当該画像データをＬＣＤ３４に表示するための制御コマンドをＬＣＤモジュール３１へ送信する。以下、説明の便宜上、再出力させた画像データを再出力画像データと示す。
【００７４】
そして、ＬＣＤモジュール３１では、Ｉ／Ｆ制御部３８１が、パネル制御部３３から受信した再出力画像データを表示メモリー３７に記憶し、また、パネル制御部３３から受信した制御コマンドをレジスター３８２に記憶する。これにより、コントローラー３８は、表示処理を再実行する。つまり、コントローラー３８は、レジスター３８２に記憶された制御コマンドをＣＰＵにより実行させることにより、表示メモリー３７に記憶された再出力画像データが示す画像をＬＣＤ３４に表示する。
【００７５】
以下、表示制御装置２の動作について説明する。図３は、表示制御装置２の動作の一例を示すフローチャートである。
【００７６】
図３に示すように、表示処理制御部２１は、複写機１の初期動作時に、ＬＣＤ３４に表示する対象の操作画面の画像を示す画像データを画像データ出力部２２に出力させる。そして、表示処理制御部２１は、当該出力させた画像データ及び当該画像データが示す画像をＬＣＤ３４に表示する指示を示す指示信号をパネル制御部３３へ送信する（Ｓ１）。
【００７７】
パネル制御部３３は、画像データ及び指示信号を受信すると、当該受信した画像データが示す画像をＬＣＤ３４に表示させるための制御コマンドを生成する。そして、パネル制御部３３は、当該受信した画像データ及び当該生成した制御コマンドをＬＣＤモジュール３１へ送信する（Ｓ２）。
【００７８】
ＬＣＤモジュール３１では、Ｉ／Ｆ制御部３８１が、パネル制御部３３から受信した画像データを表示メモリー３７に記憶し、また、パネル制御部３３から受信した制御コマンドをレジスター３８２に記憶する。これにより、コントローラー３８は、表示処理を実行する（Ｓ３）。その結果、操作画面を示す画像がＬＣＤ３４に表示される。
【００７９】
その後、ユーザーがＬＣＤ３４をタッチし、システム制御部２０においてタッチパネル３２から出力される検出信号が受信されたとする（Ｓ４；ＹＥＳ）。また、指示受付部２３が、当該受信された検出信号を用いて、操作画面を示す画像を切り替える操作指示を受け付けなかったとする（Ｓ５；ＮＯ）。この場合、状態検知部２４は、表示制御装置２が上記不安態状態になったことを検知する（Ｓ８）。リフレッシュ処理部２５は、状態検知部２４が、表示制御装置２が上記不安態状態になったことを検知したので、リフレッシュ処理を実行する（Ｓ９）。
【００８０】
尚、上記のように、リフレッシュ処理部２５は、ステップＳ９のリフレッシュ処理において、ＬＣＤ３４に表示されている操作画面の画像を示す画像データを画像データ出力部２２に再出力させ、当該画像データ及び当該画像データが示す画像をＬＣＤ３４に表示する指示を示す指示信号をパネル制御部３３へ送信する。これにより、ステップＳ２以降の処理が実行される。
【００８１】
一方、指示受付部２３が、ステップＳ４において受信された検出信号を用いて、操作画面を示す画像を切り替える操作指示を受け付けたとする（Ｓ５；ＹＥＳ）。この場合、状態検知部２４は、表示制御装置２が上記不安態状態になったことを検知しない。このため、リフレッシュ処理部２５は、リフレッシュ処理を行わない。
【００８２】
この場合、指示受付部２３によって操作画面を示す画像を切り替える操作指示が受け付けられたので（Ｓ５；ＹＥＳ）、表示処理制御部２１は、切り替え後にＬＣＤ３４に表示する対象の操作画面の画像を示す画像データを画像データ出力部２２に出力させる。そして、表示処理制御部２１は、当該出力させた画像データ及び当該画像データが示す画像をＬＣＤ３４に表示する指示を示す指示信号をパネル制御部３３へ送信する（Ｓ６）。これにより、ステップＳ２以降の処理が実行される。
【００８３】
また、ステップＳ３の実行により、操作画面を示す画像がＬＣＤ３４に表示された後、何れかの動作制御部においてリトライ処理が実行され、リトライ処理を実行したことを示す信号がシステム制御部２０において受信されたとする（Ｓ７；ＹＥＳ）。
【００８４】
この場合も、状態検知部２４は、表示制御装置２が上記不安態状態になったことを検知し（Ｓ８）、リフレッシュ処理部２５はリフレッシュ処理を実行する（Ｓ９）。これにより、ステップＳ２以降の処理が実行される。
【００８５】
上記実施形態の構成によれば、状態検知部２４により、表示制御装置２が表示メモリー３７及びコントローラー３８に外来ノイズが混入した可能性のある不安定状態になったことが検知されると、リフレッシュ処理が行われる。
【００８６】
このため、表示制御装置２が上記不安定状態になり、表示メモリー３７に記憶されている画像データの一部が破損したり、コントローラー３８が誤動作した場合であっても、画像データを表示メモリー３７に記憶し直し、画像データが示す画像をＬＣＤ３４に再表示させることができる。これにより、表示制御装置２への外来ノイズの混入に起因して、表示メモリー３７及びコントローラー３８に外来ノイズが混入した場合であっても、ＬＣＤ３４に画像が正常に表示されなくなる虞を低減することができる。
【００８７】
また、上記実施形態の構成によれば、ユーザーがＬＣＤ３４をタッチした場合に、ＬＣＤ３４に表示されている操作画面を示す画像を切り替える指示が受け付けられなかったときは、表示制御装置２が、表示メモリー３７及びコントローラー３８に外来ノイズが混入した可能性のある所定の不安定状態になったことが状態検知部２４によって適切に検知される。一方、ＬＣＤ３４に表示されている操作画面を示す画像を切り替える指示が受け付けられたときは、表示制御装置２が、表示メモリー３７及びコントローラー３８に外来ノイズが混入した可能性のある所定の不安定状態になっていないことが状態検知部２４によって適切に検知される。
【００８８】
また、状態検知部２４が、ＬＣＤ３４に表示されている操作画面を示す画像を切り替える指示が受け付けられたときにも、表示制御装置２が不安定状態になったことを検知したとすると、リフレッシュ処理部２５がリフレッシュ処理を行うこととなる。この場合、ＬＣＤ３４に表示されている操作画面を示す画像が切り替えられず、受け付けられた指示に反することになる。しかし、上記実施形態の構成によれば、状態検知部２４が、ＬＣＤ３４に表示されている操作画面を切り替える指示が受け付けられたときには、表示制御装置２が不安定状態になったことを検知しないので、リフレッシュ処理部２５がリフレッシュを行わない。これによって、受け付けられた指示に反することが回避される。
【００８９】
また、上記実施形態の構成によれば、動作制御部にラインノイズが混入したことに起因して、動作制御部間の通信中に通信エラーが発生し、当該ラインノイズが表示メモリー３７及びコントローラー３８に混入した可能性が高いと考えられる場合に、状態検知部２４によって、表示制御装置２が上記不安態状態になったことを適切に検知することができる。
【００９０】
尚、上記実施形態において図１及び図３に示した構成は単なる一例に過ぎず、本発明を当該実施形態に限定する趣旨ではない。
【００９１】
例えば、リフレッシュ処理部２５は、更に、コントローラー３８によって操作画面を示す画像がＬＣＤ３４に表示された時点から予め定められた基準周期Ｔが経過する度にリフレッシュ処理を行うようにしてもよい。尚、基準周期Ｔは、システム制御部２０内の不揮発性メモリー等に予め記憶されている。
【００９２】
これに合わせて、システム制御部２０が、図２の破線部に示すように、基準周期変更部２６として動作するようにしてもよい。基準周期変更部２６は、ＬＣＤ３４に操作画面を示す画像が表示されている場合に、表示制御装置２が上記不安定状態になったことを状態検知部２４が検知したとき、上記基準周期Ｔを予め定められた補正時間短くする。尚、補正時間は、システム制御部２０内の不揮発性メモリー等に予め記憶されている。
【００９３】
この場合の表示制御装置２の動作について図４を用いて説明する。図４は、表示制御装置２の動作の図３とは別の一例を示すフローチャートである。尚、図４において、図３と同じステップについては同一の符号を付しており、特筆しない限り、その説明を省略する。
【００９４】
図４に示すように、ステップＳ３の実行により、ＬＣＤ３４に操作画面が表示された時点から基準周期Ｔが経過する度に（Ｓ２１；ＹＥＳ）、リフレッシュ処理部２５は、ステップＳ９と同様に、リフレッシュ処理を実行する（Ｓ２２）。これにより、ステップＳ２以降の処理が実行される。
【００９５】
そして、ステップＳ８において、状態検知部２４が、表示制御装置２が上記不安態状態になったことを検知した場合、基準周期変更部２６は、ステップＳ２１における基準周期Ｔを予め定められた補正時間短くする（Ｓ２３）。
【００９６】
この構成によれば、状態検知部２４が、表示制御装置２が上記不安定状態になったことを検知したか否かによらず、操作画面を示す画像がＬＣＤ３４に表示された時点から予め定められた基準周期Ｔが経過する度にリフレッシュ処理が行われる。このため、表示制御装置２が上記不安定状態になること以外の要因で、ＬＣＤ３４に画像が正常に表示されなくなる虞を低減することができる。
【００９７】
また、状態検知部２４が、表示制御装置２が上記不安定状態になったことを検知した場合には、上記基準周期Ｔが短くなる。このため、表示制御装置２が上記不安定状態になることにより、表示メモリー３７に記憶されている画像データの一部が破損したり、コントローラー３８が誤動作した可能性が高い状況になると、リフレッシュ処理を行う頻度を高めることができる。これにより、ＬＣＤ３４に画像が正常に表示されなくなる虞をより低減することができる。
【００９８】
尚、基準周期変更部２６は、ステップＳ５において、指示受付部２３が操作画面を示す画像を切り替える操作指示を受け付けたとき（Ｓ５；ＹＥＳ）に、基準周期Ｔを、ステップＳ２３において短くする前の元の基準周期Ｔに戻す（リセットする）ように構成してもよい。或いは、リフレッシュ処理部２５は、リフレッシュ処理を行った回数をＲＡＭ等に記憶するようにし、これに合わせて、基準周期変更部２６は、当該ＲＡＭに記憶されたリフレッシュ処理を行った回数が予め定められた基準回数を超える度に、基準周期Ｔを、ステップＳ２３において短くする前の元の基準周期Ｔに戻し（リセットし）、ＲＡＭに記憶されたリフレッシュ処理を行った回数を０に戻すようにしてもよい。
【００９９】
この場合、リフレッシュ処理を繰り返し、時間が経過するうちに、表示メモリー３７やコントローラー３８に混入したノイズが低減されていることが考えられるので、基準周期Ｔを短くして、リフレッシュ処理を行う頻度を無駄に高くすることを低減することができる。
【０１００】
また、状態検知部２４は、何れかの動作制御部からリトライ処理を実行したことを示す信号を受信した場合に、表示制御装置２が上記不安態状態になったことを検知しないように簡素化してもよい。つまり、ステップＳ７を省略してもよい。
【０１０１】
また、ラインノイズがシステム制御部２０や画像形成制御部４０に混入することにより、ＥＥＰＲＯＭ５０に記憶されているデータへのアクセス時にエラーが発生する虞がある。この場合も、当該ラインノイズが表示メモリー３７やコントローラー３８に混入する可能性があると考えられる。このため、画像形成制御部４０は、ＥＥＰＲＯＭ５０に記憶されているデータへのアクセス時にエラーが発生すると、当該エラーが発生したことを示す信号をシステム制御部２０へ送信するようにしてもよい。そして、状態検知部２４は、当該信号を受信したときや、システム制御部２０がＥＥＰＲＯＭ５０に記憶されているデータへのアクセス時にエラーが発生した場合にも、表示制御装置２が上記不安定状態になったことを検知するようにしてもよい。
【符号の説明】
【０１０２】
１  複写機（電子機器）
２  表示制御装置
２０  システム制御部（動作制御部）
２２  画像データ出力部
２３  指示受付部
２４  状態検知部
２５  リフレッシュ処理部
２６  基準周期変更部
３２  タッチパネル
３３  パネル制御部（動作制御部）
３４  ＬＣＤ（表示部）
３７  表示メモリー（画像データ記憶部）
３８  コントローラー（表示制御部）
４０  画像形成制御部（動作制御部）
６１  読取制御部（動作制御部）
７１  給紙制御部（動作制御部）
Ｔ  基準周期
【図１】
0006051132.tif 000002
【図２】
0006051132.tif 000003
【図３】
0006051132.tif 000004
【図４】
0006051132.tif 000005